(57)【要約】【課題】装置内画像表示部のＬＥＤや文字での表示では視覚的表示が弱い。受信制御部側の各種情報を視覚的に表示する。【課題を解決するための手段】デジタル変調方式にて映像、音声を無線伝送する伝送装置において、受信制御部側の映像を画像表示部への表示させるための画像発生手段及び装置間映像信号伝達手段及び受信制御部側の音声を装置内スピーカーへ音声出力手段及び装置間音声情報伝達手段を有し、映像・音声信号の装置間情報伝達手段を有する。【選択図】図１
2011109208.tif 000002
【特許請求の範囲】
【請求項１】
デジタル変調方式にて映像、音声を無線伝送する伝送装置において、受信制御部側の映像を画像表示部への表示させるための画像発生手段及び装置間映像信号伝達手段及び受信制御部側の音声を装置内スピーカーへ音声出力手段及び装置間音声情報伝達手段を有し、映像・音声信号の装置間情報伝達手段を有することを特徴とする伝送装置。
【発明の詳細な説明】
【技術分野】
【０００１】
本発明は、構成単位期間で構成されているデジタル変調方式で変調された映像信号または音声信号またはデータを伝送する伝送システムの伝送装置に関する。
【背景技術】
【０００２】
近年、直交周波数分割多重(Orthogonal-Frequency-Division-Multiplexing：ＯＦＤＭ)変調方式（以下ＯＦＤＭ方式と称す）と位相振幅変調（Quadrature-Amplitude-Modulation）方式（以下ＱＡＭ方式と称す）が地上デジタル放送などに採用されている。地上デジタル放送の変調信号は、構成単位期間で構成されている。
ガード期間を含んだＯＦＤＭ信号を伝送する伝送装置の受信装置において、受信した上記ＯＦＤＭ信号のガード期間における相関演算を行い、当該相関演算の結果得られるガード相関信号に基づき受信アンテナの方向調整用信号を生成し、Ｃ／Ｎが約０ｄＢ以下になる受信アンテナの方向調整の初期段階でも、受信信号のレベルを検出し、受信アンテナの方向調整を行っている（特許文献１参照）。
【０００３】
映像信号を送信する送信装置と、送信された信号を受信アンテナで受信する受信装置と、受信アンテナの受信方向をリモートコントロールする制御装置とを有するＦＰＵリモコンシステムにおいて、制御装置が備える画面上に、受信アンテナの垂直角度線と受信アンテナの水平角度に該当する縦断面を表示し且つ受信アンテナの受信方向を変えたとき変えた受信方向に対応する受信アンテナの水平角度に該当する縦断面図を表示し、方向調整を行いながら電波伝搬遮蔽地帯を簡単に確認可能なＦＰＵリモコンシステムにおける受信アンテナの受信方向表示方法することは行われていた（特許文献２参照）。
【０００４】
また、ＨＤ−ＳＤＩ（Ｈigh-Difinision−Ｓerial-Digital-Interface）信号とはＳＭＰＴＥ２９２Ｍ勧告で定められたシリアルデジタル映像信号規格であり、AES3-1992信号通称AES/EBU（Audio-Engineering-Society / European-Broadcasting-Union）信号は、ARIB BTA S-006でＡＥＳが規定した業務用2チャネルデジタル音声インタフェースをＨＤ映像の帰線期間を利用した補助信号領域で伝送する基本的な多重条件が統一されている。ＡＥＳ音声は1つのＡＥＳディジタルストリームを構成する全データで、音声データと付加データとからなる。
【０００５】
テレビ放送においては、ニュース報道やマラソン中継など中継現場から放送局にテレビジョン信号を伝送するために、ＦＰＵ（Field-Pickup-Unit）と呼ばれる可搬型の中継装置やＴＳＬ（Transmitter-Studio-Link）と呼ばれる伝送装置が用いられる。ＦＰＵからの信号は山頂等に設置されているＦＰＵ基地局で受信され、ＦＰＵ基地局からはＴＳＬ装置と呼ばれる固定回線を使って、放送局まで伝送されるのが一般的である。ＦＰＵは、送信制御部、送信高周波部、受信制御部、受信高周波部で構成されるのが一般的であり、送信制御部と送信高周波部とを一体化し小型化した一体化送信部も用いられる。
上記装置内画像表示部のＬＥＤや文字で受信制御部側の各種情報を表示していた。
【先行技術文献】
【特許文献】
【０００６】
【特許文献１】特開２００３−１１５７８７号公報
【特許文献２】特開２００５−７３００７号公報
【発明の概要】
【発明が解決しようとする課題】
【０００７】
上記装置内画像表示部のＬＥＤや文字での表示では視覚的表示が弱い。
受信制御部側の各種情報を視覚的に表示する事が本発明の目的である。
【課題を解決するための手段】
【０００８】
本発明は、デジタル変調方式にて映像、音声を無線伝送する伝送装置において、受信制御部側の映像を画像表示部への表示させるための画像発生手段及び装置間映像信号伝達手段及び受信制御部側の音声を装置内スピーカーへ音声出力手段及び装置間音声情報伝達手段を有し、映像・音声信号の装置間情報伝達手段を有することを特徴とする伝送装置である。
【発明の効果】
【０００９】
本発明によれば、上記装置内画像表示部に受信制御部内の映像信号を通常画面と交互に切替表示し、受信制御部側の各種情報を視覚的表示することが可能となる。
【図面の簡単な説明】
【００１０】
【図１】本発明の一実施例の伝送システムの全体構成を示すブロック図
【図２】本発明の一実施例の受信高周波部と受信制御部の構成を示すブロック図
【図３】本発明の一実施例の受信高周波部の前面操作パネルを示す模式図（(ａ)通常画面の画像表示部、(ｂ)警告画面の画像表示部）
【発明を実施するための形態】
【実施例１】
【００１１】
以下、本発明による撮像装置の一実施例の動作の概要を本発明の一実施例の本発明の一実施例の伝送システムの全体構成を示すブロック図の図１と、本発明の一実施例の受信高周波部と受信制御部の構成を示すブロック図の図２と、本発明の一実施例の受信高周波部の前面操作パネルを示す模式図の図３の(ａ)通常画面の画像表示部と(ｂ)警告画面の画像表示部とを用いて説明する。
【００１２】
本実施例の伝送装置では、送信側装置の場合、本発明の一実施例の伝送システムの全体構成を示すブロック図の図１において、送信制御部１８の操作部５の各種設定用スイッチ群を操作することで設定したOFDM-64QAM方式等の所定の変調方式・伝送パラメータにより変調部１で変調し、アップコンバータ２で７０ＭＨｚまたは１３０ＭＨｚのＩＦ（Intermediate Frequency：中間周波数）帯に周波数変換する。送信高周波部は、アップコンバータ９でＩＦ信号を自動レベル調整(Auto Gain Control: ＡＧＣ)した後に操作部２５または操作部３４で設定した８００ＭＨｚ以上の所定の周波数のＲＦ信号に周波数変換し、電力増幅器１０で操作部２５または操作部３４で設定した所定のレベルまで電力増幅され、アンテナ１７から送出される。受信高周波部２０は、アンテナ１９でＲＦ（Radio Frequency：無線周波数）信号を受信後、ＬＮＡ（Low-Noise-Amplifier）２１で低雑音増幅し自動レベル調整し、ダウンコンバータ２２でＩＦ信号に変換する。そして、受信制御部３０は、ＩＦ信号をダウンコンバータ２９で自動レベル調整し周波数変換し、操作部３４で設定されたＯＦＤＭ−６４ＱＡＭ方式等の所定の復調モードにより復調部３１で復調することにより得られた映像信号（本線）、音声信号（本線）を出力する。送信制御部１８と送信高周波部と受信高周波部２０と受信制御部３０とはＣＰＵの４、１２、２３、３３はＣＰＵで検知した状態の表示を行なう。伝送ビットレート、変調方式、使用するチャンネルを、受信制御部３０の表示部３６には、例えば、伝送ビットレート、復調方式、使用するチャンネルを表示する。
【００１３】
また、受信制御部の映像信号は、受信高周波部側へ伝送され、画像表示部２に画像を表示する。
また、受信制御部の音声信号も映像信号と同様、受信高周波部側へ音声信号は伝送され、スピーカ２８に出力する。
【００１４】
ここで上述した受信制御部の映像信号を画像変換し重畳し受信高周波部側に伝送する一例について、本発明の一実施例の受信高周波部と受信制御部の構成を示すブロック図の図２を用いて説明する。受信制御部内のＭＯＤＥＭ３２、受信高周波部内のＭＯＤＥＭ２４は電力線搬送通信（Power-Line-Modem以下ＰＬＣ）モデムである。ＰＬＣモデムは電力線を通信回線として利用する通信技術で、一般家庭ではＡＣコンセントにＰＬＣモデムを接続するだけで、新たに伝送路を構築することなくネットワークを構築できるため近年普及し始めている。変調方式はOFDM/PAM、OFDM/QAM、スペクトル拡散方式等が使われている。帯域4〜28MHzなら、最大物理速度は190Mbps、実効速度は最大55Mbpsであり、映像符号化部４３をＨ．２６４等の圧縮方式とすれば、映像信号も十分に伝送可能である。
【００１５】
本発明のシステムではＰＬＣモデムを用いて、受信制御部３０と受信高周波部２０間を接続する同軸ケーブル（ＩＦケーブル）を伝送路として映像信号を伝送する。また、ＰＬＣモデムの帯域4〜28MHzなので、国内130ＭＨｚや海外70MHzの本線ＩＦ周波数にもIFケーブル距離にも影響を与えない。受信制御部３０に入力するＨＤ−ＳＤＩ信号等の外部映像信号又は本線映像信号又は受信状態情報又は警告状態の受信制御部の映像信号は、映像データ切替部４５で選択され、映像符号化部４３にてＨ．２６４等の符号化方式により、伝送可能なレートに符号化処理が施され、ＭＯＤＥＭ３２に送出する。次にＭＯＤＥＭ３２は、映像符号化部４３より受けた信号を、前述の通り変調処理を施し、ＩＦ信号に重畳することで受信高周波部３８へ伝送する。
【００１６】
一方、受信高周波部２０はＩＦ信号からフィルタにて必要な信号のみを分離し、ＭＯＤＥＭ２４にて復調処理し、映像復号化部４４にて復号化処理を施すことで、ＣＰＵ２３を介し、画像発生部３８にて、画像表示部２７にて表示させる為に画素数変換等の必要な処理を施し、本発明の一実施例の受信高周波部の前面操作パネルを示す模式図の図３の(ａ)通常画面の画像表示部の様に、画像表示に表示させる。
【００１７】
また、音声信号も同様に受信制御部からの信号をＭＯＤＥＭ３２にて変調し、ＩＦ信号に変調し受信高周波部に伝送し、受信高周波部内のＭＯＤＥＭ２４にて復調し、受信高周波部内のＣＰＵにてＤ／Ａ処理が施され、スピーカー１６に音声出力する。尚、受信高周波部から受信制御部への音声通信も同様な方法で行なう。
【００１８】
また、上述した画像発生手段を用いて、本発明の一実施例の受信高周波部の前面操作パネルを示す模式図の図３の(ａ)通常画面の画像表示部の様な受信高周波部の画像表示部分を通常画面と、図３の(ｂ)警告画面の画像表示部の様な、受信制御部内で生じた機器異常を表示した警告画面とを、交互に切り替え表示を行なうことで、警告状態を視覚的に操作マンに知らせることができる。また同様に、画像表示部分を通常画面と受信制御部の映像信号と交互に切り替え表示を行なうことで、外部映像信号又は本線映像信号又は受信状態情報を視覚的に操作マンに知らせることができる。
【００１９】
マラソン中継やゴルフ中継等時では、通常、受信高周波部と受信制御部は離れた地点で運用することが多い。受信高周波部側では、受信状態によってアンテナの向きを変更する必要が生じるため、受信高周波部側と受信制御部側の各地点で操作する人は、連絡を取り合い、常に受信状態情報を把握する必要がある。そのため、受信状態情報を示す映像信号を受信高周波部の画像表示部に表示することで上記目的を達成することができる。
【符号の説明】
【００２０】
１：変調部、２：アップコンバータ、
３，１１，２４，３２：ＭＯＤＥＭ、４，１２，２３，３３：ＣＰＵ、
５，１３，２５，３４：操作部、６，１４，２６，３５：警告ＬＥＤ、
７，１５，２７，３６：画像表示部、
８，１６，２８，３７：スピーカ、
９：アップコンバータ、１０：電力増幅器、１７，１９：アンテナ、
１８：送信制御部、３８：送信高周波部、
２０：受信高周波部、３０：受信制御部、
２１：ＬＮＡ、２２，２９：ダウンコンバータ、３１：復調部、
４３：映像符号化部、４４：映像復号化部、４５：映像データ切替部、
【図１】
2011109208.tif 000003
【図２】
2011109208.tif 000004
【図３】
2011109208.tif 000005